(57)【要約】【課題】シートと脚部との結合強度が高いため、ユーザが安心して快適に使用することができる椅子構造を提供する。【解決手段】椅子構造は、シート１及び脚部２を備える。シート１の底部には、組立部１１が設けられる。組立部１１の底面には、挿入孔１２が凹設される。組立部１１の側面には、挿入孔１２に連通する係止孔１３及び当接孔１４が設けられる。当接孔１４の底縁には、位置決め部が設けられる。脚部２は、上端がシート１の組立部１１に設けられた挿入孔１２に挿設され、側辺に、シート１の係止孔１３に係止される係止ブロック２１が配置され、シート１の当接孔１４の底縁と、位置決め部の上端面とに当接される爪部２２が設けられる。【選択図】図１
0003172729.tif 000002
【実用新案登録請求の範囲】
【請求項１】
シート及び脚部を備える椅子構造であって、
前記シートの底部には、組立部が設けられ、前記組立部の底面には、挿入孔が凹設され、前記組立部の側面には、前記挿入孔に連通する係止孔及び当接孔が設けられ、前記当接孔の底縁には、位置決め部が設けられ、
前記脚部は、上端が前記シートの前記組立部に設けられた前記挿入孔に挿設され、側辺に、前記シートの前記係止孔に係止される係止ブロックが配置され、前記シートの前記当接孔の底縁と、前記位置決め部の上端面とに当接される爪部が設けられることを特徴とする椅子構造。
【請求項２】
シート、脚部及び結合スリーブを備える椅子構造であって、
前記シートの底部には、組立部が設けられ、前記組立部の底面には、挿入孔が凹設され、
前記脚部の側辺には、前記シートの前記係止孔に係止される係止ブロックが配置され、爪部が設けられ、
前記結合スリーブは、中心部に、前記脚部の上端を挿設する貫通孔が設けられ、側面に、前記貫通孔に連通し、前記脚部の前記係止ブロックを係止する係止孔と、前記貫通孔に連通する当接孔とが設けられ、前記当接孔の底縁には、位置決め部が設けられ、前記脚部の前記爪部は、前記当接孔の底縁と、前記位置決め部の上端面とに当接されることを特徴とする椅子構造。
【請求項３】
前記結合スリーブの側面には、嵌合部が設けられ、前記シートの前記組立部に設けられた前記挿入孔の孔壁上の前記結合スリーブの前記嵌合部に対応する位置には、嵌合溝が設けられ、前記結合スリーブの前記嵌合部と、前記シートの前記組立部の前記嵌合溝とには、締結部材が貫設される締結孔がそれぞれ設けられることを特徴とする請求項２に記載の椅子構造。
【考案の詳細な説明】
【技術分野】
【０００１】
本考案は、椅子構造に関し、特に、シートと脚部との結合強度が高いためユーザが安心して快適に使用することができる椅子構造に関する。
【背景技術】
【０００２】
従来のネジで締結する構造に代わり、脚部に配置された係止ブロックがシートに設けられた係止孔に係止される結合方式がメーカにより開発されている。この係止構造を用いた結合方式は、ネジが揺り動かされたり振動を受けたりして緩んだり、紛失したネジ又はその代用品を探したりするという従来の問題を防ぐことができる。しかし、係止ブロックと係止孔とによる結合方式は、ユーザが椅子を持つ際、弾性伸縮性を有する係止ブロックを手で不注意に押してしまうと、係止ブロックが係止孔から外れ、シートと脚部とが離れる虞がある。このように、係止ブロックを係止孔に係止する結合構造は、外れ易いという問題がある。
【考案の概要】
【考案が解決しようとする課題】
【０００３】
本考案の目的は、シートと脚部との結合強度が高いためユーザが安心して快適に使用することができる椅子構造を提供することにある。
【課題を解決するための手段】
【０００４】
上記課題を解決するために、本考案の第１の形態によれば、シート及び脚部を備える椅子構造であって、前記シートの底部には、組立部が設けられ、前記組立部の底面には、挿入孔が凹設され、前記組立部の側面には、前記挿入孔に連通する係止孔及び当接孔が設けられ、前記当接孔の底縁には、位置決め部が設けられ、前記脚部は、上端が前記シートの前記組立部に設けられた前記挿入孔に挿設され、側辺に、前記シートの前記係止孔に係止される係止ブロックが配置され、前記シートの前記当接孔の底縁と、前記位置決め部の上端面とに当接される爪部が設けられることを特徴とする椅子構造が提供される。
【０００５】
上記課題を解決するために、本考案の第２の形態によれば、シート、脚部及び結合スリーブを備える椅子構造であって、前記シートの底部には、組立部が設けられ、前記組立部の底面には、挿入孔が凹設され、前記脚部の側辺には、前記シートの前記係止孔に係止される係止ブロックが配置され、爪部が設けられ、前記結合スリーブは、中心部に、前記脚部の上端を挿設する貫通孔が設けられ、側面に、前記貫通孔に連通し、前記脚部の前記係止ブロックを係止する係止孔と、前記貫通孔に連通する当接孔とが設けられ、前記当接孔の底縁には、位置決め部が設けられ、前記脚部の前記爪部は、前記当接孔の底縁と、前記位置決め部の上端面とに当接されることを特徴とする椅子構造が提供される。
【０００６】
また、前記結合スリーブの側面には、嵌合部が設けられ、前記シートの前記組立部に設けられた前記挿入孔の孔壁上の前記結合スリーブの前記嵌合部に対応する位置には、嵌合溝が設けられ、前記結合スリーブの前記嵌合部と、前記シートの前記組立部の前記嵌合溝とには、締結部材が貫設される締結孔がそれぞれ設けられることが好ましい。
【考案の効果】
【０００７】
本考案の椅子構造は、脚部に配置された係止ブロックがシートに設けられた係止孔に係止され、さらに脚部に配置された爪部がシートに設けられた当接孔に当接される構造により、シートと脚部との結合強度が高く、ユーザが安心して快適に使用することができる。
【図面の簡単な説明】
【０００８】
【図１】本考案の第１実施形態による椅子構造を示す分解斜視図である。
【図２】本考案の第１実施形態による椅子構造を示す斜視図である。
【図３】本考案の第２実施形態による椅子構造を示す分解斜視図である。
【図４】本考案の第２実施形態による椅子構造の結合スリーブに脚部が挿設されたときの状態を示す斜視図である。
【図５】本考案の第２実施形態による椅子構造の結合スリーブに脚部が挿設されたときの状態を示す断面図である。
【図６】本考案の第２実施形態による椅子構造の結合スリーブに脚部が挿設され回転されたときの状態を示す斜視図である。
【図７】本考案の第２実施形態による椅子構造の結合スリーブに脚部が挿設され回転されたときの状態を示す断面図である。
【図８】本考案の第２実施形態による椅子構造を示す斜視図である。
【図９】本考案の第３実施形態による椅子構造を示す分解斜視図である。
【考案を実施するための形態】
【０００９】
（第１実施形態）
図１及び図２を参照する。図１及び図２に示すように、本考案の第１実施形態による椅子構造は、少なくともシート１及び脚部２から構成される。
【００１０】
シート１の底部には、組立部１１が同じ角度で設けられている。組立部１１は、底面に挿入孔１２が凹設され、側面に挿入孔１２に連通する係止孔１３及び当接孔１４が設けられている。当接孔１４の底縁には、位置決め部１５が設けられている。
【００１１】
脚部２は、上端が、シート１の組立部１１に設けられた挿入孔１２に挿設され、側辺に、弾性伸縮性を有し、シート１の係止孔１３に係止された係止ブロック２１が配置されている。脚部２の側辺のシート１の当接孔１４に対応する位置には、爪部２２が設けられている。爪部２２は、上に向かって細くなるテーパー状をなし、底面がシート１の当接孔１４の底縁に設けられた位置決め部１５の上端面に当接されている。
【００１２】
図１及び図２を参照する。図１及び図２に示すように、本考案の第１実施形態による椅子構造を組み立てるとき、まず、脚部２の上端がシート１の組立部１１に凹設された挿入孔１２に挿設される。爪部２２は、シート１の当接孔１４に対応する。爪部２２が上に向かって細くなるテーパー状をなすため、脚部２は、シート１の挿入孔１２に挿設されることができる。脚部２の爪部２２がシート１の当接孔１４の位置まで達すると、脚部２の爪部２２の底面は、当接孔１４の底縁に当接される。脚部２を回転させると、脚部２の爪部２２は、シート１の当接孔１４の側辺に当接される。このとき、爪部２２の底面は、当接孔１４の底縁に下に向かって延設される位置決め部１５の上端面に移動し完全に係止される。脚部２の側辺に配置され、弾性伸縮性を有する係止ブロック２１は、シート１の係止孔１３に係止される。この構成により、シート１と脚部２とを組み合わせることができる。
【００１３】
ユーザが椅子を持つとき、脚部２の弾性伸縮性を有する係止ブロック２１を不注意に手で押してしまい、係止ブロック２１がシート１の係止孔１３内に押し込まれることがある。このとき、脚部２の爪部２２が、シート１の当接孔１４の底縁に設けられた位置決め部１５に係止されるため、脚部２の係止ブロック２１がシート１の係止孔１３に係止されなくても、シート１と脚部２との固定状態に保つことができる。これにより、シート１と脚部２とが外れにくくなり、ユーザは便利に使用することができる。
【００１４】
（第２実施形態）
図３及び図４を参照する。図３及び図４に示すように、本考案の第２実施形態による椅子構造は、シート１と脚部２との結合部分に、結合スリーブ３が配置されている。結合スリーブ３は、中央部に、脚部２を挿設する貫通孔３１が設けられ、側面に、貫通孔３１に連通し、脚部２の係止ブロック２１を係止する係止孔３２と、貫通孔３１に連通する当接孔３３とが設けられている。結合スリーブ３の当接孔３３の底縁には、位置決め部３４が設けられている。脚部２の爪部２２の底面は、当接孔３３の底縁と、当接孔３３の底縁に設けられた位置決め部３４の上端面とに当接されている。結合スリーブ３の側面には、嵌合部３５が設けられている。嵌合部３５上には、当接孔３３が設けられている。シート１の組立部１１に設けられた挿入孔１２の孔壁には、結合スリーブ３の嵌合部３５を嵌設する嵌合溝１６が設けられている。結合スリーブ３の嵌合部３５に設けられた締結孔３５１は、シート１の組立部１１の嵌合溝１６に設けられた締結孔１６１に対応する。締結部材３６は、締結孔３５１及び締結孔１６１に貫設される。
【００１５】
図４を参照する。図４に示すように、本考案の第２実施形態による椅子構造を組み立てるとき、まず、脚部２の上端が結合スリーブ３の中心に設けられた貫通孔３１に貫設される。脚部２の爪部２２は、結合スリーブ３の当接孔３３に挿設される（図５参照）。図６及び図７を参照する。図６及び図７に示すように、脚部２が回転されると、爪部２２は、結合スリーブ３の当接孔３３の側辺に当接される。このとき爪部２２の底面は、当接孔３３の底縁に設けられた位置決め部３４の上端面に当接される。脚部２の側辺に配置され、弾性伸縮性を有する係止ブロック２１は、結合スリーブ３の係止孔３２まで移動し係止される。図８を参照する。図８に示すように、脚部２が貫設された結合スリーブ３の嵌合部３５は、シート１の挿入孔１２の孔壁に設けられた嵌合溝１６に対応する。結合スリーブ３は、シート１の組立部１１に設けられた挿入孔１２に挿設される。結合スリーブ３の嵌合部３５は、シート１の組立部１１に設けられた嵌合溝１６に嵌設される。結合スリーブ３の係止孔３２に係止された脚部２の係止ブロック２１は、シート１の組立部１１の係止孔１３にも係止される。結合スリーブ３の嵌合部３５に設けられた締結孔３５１は、シート１の組立部１１の嵌合溝１６に設けられた締結孔１６１に対応する。締結部材３６は、結合スリーブ３の嵌合部３５に設けられた締結孔３５１と、シート１の組立部１１の嵌合溝１６に設けられた締結孔１６１とに貫設される。嵌合部３５が嵌合溝１６に嵌設され、係止ブロック２１が係止孔１３に係止され、締結部材３６が締結孔１６１，３５１に貫設されることにより、結合スリーブ３とシート１とは、堅固に組み合わされる。また、脚部２の係止ブロック２１が結合スリーブ３の係止孔３２に係止され、更に、脚部２の爪部２２が結合スリーブ３の当接孔３３に当接された後、シート１の組立部１１に設けられた挿入孔１２内に挿入され覆われるため、脚部２と結合スリーブ３との係止部分が、揺り動かされるなど外部から影響を受けて外れてしまうことを防ぐことができる。これにより、シート１と脚部２と結合スリーブ３とが堅固に結合され、椅子全体の構造強度及び安定性を高めることができる。
【００１６】
（第３実施形態）
図９を参照する。図９に示すように、本考案の第３実施形態による椅子構造は、シート１の座面に回転盤４が枢設されている。この構成により、ユーザは、立ち上がらなくても、椅子の回転盤４に座りながら体の向きを変えることができる。このように、本考案による椅子構造は、ユーザが仕事などにおいて体の向きを頻繁に変える際の利便性を高めることができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  シート
２  脚部
３  結合スリーブ
４  回転盤
１１  組立部
１２  挿入孔
１３  係止孔
１４  当接孔
１５  位置決め部
１６  嵌合溝
２１  係止ブロック
２２  爪部
３１  貫通孔
３２  係止孔
３３  当接孔
３４  位置決め部
３５  嵌合部
３６  締結部材
１６１  締結孔
３５１  締結孔
【図１】
0003172729.tif 000003
【図２】
0003172729.tif 000004
【図３】
0003172729.tif 000005
【図４】
0003172729.tif 000006
【図５】
0003172729.tif 000007
【図６】
0003172729.tif 000008
【図７】
0003172729.tif 000009
【図８】
0003172729.tif 000010
【図９】
0003172729.tif 000011